Podtech/llm-jp-corpus-v4-ja_patent huggingface dataset:
【手続補正書】
【提出日】平成20年5月14日(2008.5.14)
【手続補正１】
【補正対象書類名】特許請求の範囲
【補正対象項目名】全文
【補正方法】変更
【補正の内容】
【特許請求の範囲】
【請求項１】
超硬合金、セラミクス、立方晶窒化硼素、高速度鋼のうちのいずれかの基材の表面の少なくとも機能部分に薄くて密着性があり硬質の耐摩耗被膜を施した切削工具において、上記被膜は、ＰＶＤまたはＰＥＣＶＤによる複数の金属酸化物層をＭｅ１Ｘ＋Ｍｅ２Ｘ＋Ｍｅ１Ｘ＋Ｍｅ２Ｘ・・・・という形で交互に積層した多層構造を有し、金属元素Ｍｅ１およびＭｅ２はＴｉ、Ｎｂ、Ｖ、Ｍｏ、Ｚｒ、Ｃｒ、Ａｌ、Ｈｆ、Ｔａ、ＹおよびＳｉのうちの１種以上であり、Ｍｅ１ＸおよびＭｅ２Ｘのうちの少なくとも１種は、組成および組織が異なる２成分である成分Ａおよび成分Ｂから成る金属酸化物＋金属酸化物のナノコンポジット層であり、これら成分は各々が１種類の金属元素の単一の酸化物相または２種類以上の金属酸化物の固溶体であり、Ｍｅ１Ｘ層およびＭｅ２Ｘ層は組成および組織の一方または両方が異なり、個々の層の厚さは０．４ｎｍより大で５０ｎｍより小、これらが交互に積層した多層構造の上記被膜の合計厚さは０．２〜２０μｍであることを特徴とする切削工具。
【請求項２】
請求項１において、上記Ｍｅ１Ｘ層およびＭｅ２Ｘ層の個々の厚さが１ｎｍより大で３０ｎｍより小であることを特徴とする切削工具。
【請求項３】
請求項１または２において、上記被膜が、単層または多層の第１内層として、Ｔｉ、Ｎｂ、Ｖ、Ｍｏ、Ｚｒ、Ｃｒ、Ａｌ、Ｈｆ、Ｔａ、ＹまたはＳｉのうちから選択した１種以上の金属の炭化物、窒化物または単窒化物から成り、厚さ０．２〜２０μｍの層を付加的に含むことを特徴とする切削工具。
【請求項４】
請求項１から３までのいずれか１項において、上記多層構造の上に、単層または多層の外側被膜として、Ｔｉ、Ｎｂ、Ｖ、Ｍｏ、Ｚｒ、Ｃｒ、Ａｌ、Ｈｆ、Ｔａ、ＹまたはＳｉのうちから選択した１種以上の金属の炭化物、窒化物または単窒化物から成り、厚さ０．２〜５μｍの層を付加的に含むことを特徴とする切削工具。
【請求項５】
請求項１から４までのいずれか１項において、上記成分Ａは、平均粒径が１〜１００ｎｍであることを特徴とする切削工具。
【請求項６】
請求項１から５までのいずれか１項において、上記成分Ｂは、平均直線切片が０．５〜２００ｎｍであることを特徴とする切削工具。
【請求項７】
請求項１から６までのいずれか１項において、成分Ａおよび成分Ｂの体積含有量がそれぞれ４０〜９５％および５〜６０％であることを特徴とする切削工具。
【請求項８】
請求項１から７までのいずれか１項において、上記成分Ａは正方晶または立方晶のジルコニアを含み、上記成分Ｂは非晶質または結晶質のアルミナを含み、該アルミナはα相およびγ相の一方または両方であることを特徴とする切削工具。
【請求項９】
Ｍｅ１Ｘは金属酸化物＋金属酸化物のナノコンポジット層であり、Ｍｅ２Ｘはα相およびγ相の一方または両方の結晶質アルミナ層であることを特徴とする切削工具。
【手続補正書】
【提出日】平成20年6月23日(2008.6.23)
【手続補正１】
【補正対象書類名】特許請求の範囲
【補正対象項目名】全文
【補正方法】変更
【補正の内容】
【特許請求の範囲】
【請求項１】
二種類ある、一方が凸形状でもう一方が凹形状という雄雌タイプの一種類目の金型の中に固体のゴムを装填し圧縮成型した後、その状態のまま第一回目の加熱加硫成型をして均一な肉厚の半球体を製造し、二種類目の空気充填用バルブ部成型用の凹部を有した金型により、内側に空気充填用バルブ部としての凸部を有する半球体を同様の方法で成型し、こうして製造されたそれぞれの半球体同士のエッジ部を、内部に発泡剤を装填した後接着剤により接着し、別の両方とも凹形状の雌雌タイプの金型に入れて第二回目の加熱加硫成型を行うことにより製造される、均一な肉厚の本体と精度の高い球体を有することを特徴とした、ソフトテニスボールとその製造方法。
【請求項２】
二種類ある、一方が凸形状でもう一方が凹形状という雄雌タイプの金型の二種類目には、空気充填用バルブ部を形成するための小さな凹状の部分が凸側金型の中心部に成型されており、この部分にボール本体部と同じ材質のゴムを充填して、ボール本体の半球体と一緒に一体加熱加硫成型することによって製造される、衝撃に強く決して剥がれることがないバルブ部を有し、さらにその凸形状バルブ部の外周にＯ型リングがきつく嵌合されて空気漏れを防いでいるバルブ部を持つことを特徴とした、請求項１記載のソフトテニスボールとその製造方法。
【請求項３】
二種類あるそれぞれの半球体を別々の色のゴムで加熱加硫成型した場合に生産できる、接合面が均一に直線的に接合された左右別色を特徴とする、請求項１又は請求項２記載の練習用カラーソフトテニスボールとその製造方法。
【手続補正書】
【提出日】平成19年11月4日(2007.11.4)
【手続補正１】
【補正対象書類名】特許請求の範囲
【補正対象項目名】全文
【補正方法】変更
【補正の内容】
【特許請求の範囲】
【請求項１】
綿と化繊とを混合したパフまたは、パフの外側表面を化学繊維など各種繊維で覆ったパフで、従来落しにくかったエナメルやラメなどを落しやすくして且つ、使用後に繊維が残りにくくしたパフを提供する。
【請求項２】
綿と化繊とを混合したパフまたは、パフの外側表面を化学繊維など各種繊維で覆ったパフの反対側表面をビニールや樹脂などの膜で一部または、全面を被い液の蒸発を抑えて、従来落しにくかったエナメルやラメなどを落しやすくして且つ、使用後に繊維が残りにくくしたパフを提供する。
【請求項３】
綿と化繊とを混合したパフまたは、パフの外側表面を化学繊維など各種繊維で覆ったパフの反対側表面に幾つもの穴を施したビニールや樹脂などの膜（皮膜材）を一部または、全面に施したもの。その他には、袋状（二重）などパフの大きさや形状を変えることで指に嵌めたり広げても使用できるようにしたもので、穴を施したビニールや樹脂などの膜（皮膜材）でコーティングすることで液の蒸発を抑えつつ使用しながら液の補充を出来るようにしてエナメルやラメ、スカルプチュアなど落ちにくいものを落しやすくし更には、使用後に繊維が残りにくくしたパフを提供する。
【手続補正書】
【提出日】平成20年4月10日(2008.4.10)
【手続補正１】
【補正対象書類名】明細書
【補正対象項目名】００２９
【補正方法】変更
【補正の内容】
【００２９】
例えば、スイッチ操作部１０７−１に割当てられた動作が前進歩行の場合、前記制御信号は、右足首ロール軸制御用モータ２０６−１、左足首ロール軸制御用モータ２０６−２、右足首ピッチ軸制御用モータ２０６−３、左足首ピッチ軸制御用モータ２０６ー４、右ひざ制御用モータ２０６−５、左ひざ制御用モータ２０６−６、右股関節ピッチ軸制御用モータ２０６−７、左股関節ピッチ軸制御用モータ２０６−８、右股関節ロール軸制御用モータ２０６−９、左股関節ロール軸制御用モータ２０６−１０を所定順序で所定量駆動するように指示する信号である。スイッチ操作部１０７−１を操作して前進歩行指示を行うことにより、前記各モータ２０６−１〜２０６−１０を所定順序で所定量駆動して、ロボット３０１を前進歩行させる。
【手続補正書】
【提出日】平成20年5月15日(2008.5.15)
【手続補正１】
【補正対象書類名】特許請求の範囲
【補正対象項目名】全文
【補正方法】変更
【補正の内容】
【特許請求の範囲】
【請求項１】
人または動物の患部を包み込める種々の形とサイズにカットされたシート状スポンジクッション体の全面に、患部を包み巻き込む方向と直角にちどり状に切り込みのカットを加工して成ることを特徴とする保護スポンジメッシュパッド。
【請求項２】
人または動物の患部を包み込める種々の形とサイズにカットされたシート状スポンジクッション体の全面に、患部を包み巻き込む方向と直角にちどり状に長孔を打ち抜き加工して成ることを特徴とする保護スポンジメッシュパッド。
【請求項３】
人または動物の動き易い病体の下に敷き込むシート状スポンジクッション体の全面に、一定方向の長孔をちどり状に打ち抜き加工して成ることを特徴とする長尺の保護スポンジメッシュシート。
【手続補正書】
【提出日】平成20年6月3日(2008.6.3)
【手続補正１】
【補正対象書類名】明細書
【補正対象項目名】０００７
【補正方法】変更
【補正の内容】
【０００７】
先ず、プレスキャン時に、被読取物の画像位置、さらに具体的に例示すれば、写真フィルムのコマ画像間における非画像部分（いわゆる、す抜け部分）と画像部分の境界では画素データの値に差が大きいことを利用して、写真フィルムのプレスキャン画像でのコマ画像間の境界位置を検出するとともに、写真フィルムの先端及び／又は写真フィルムの相対移動方向とは直交する方向の端部において相対移動方向に沿って所定のピッチで形成されたパーフォレーションを位置検出センサにて検出し、当該画像取り込みの際に検出された写真フィルムのプレスキャン画像でのコマ画像間の境界と、当該位置検出センサにて検出された写真フィルムの先端及び／又はパーフォレーションとの相対位置関係を求めておき、次いで、本スキャン時に、位置検出センサにてプレスキャン時にも検出した先端及び／又はパーフォレーションを検出し、当該検出された先端及び／又はパーフォレーションの検出位置を基準として、プレスキャン時に求めておいた写真フィルムのプレスキャン画像でのコマ画像間の境界と先端及び／又はパーフォレーションとの相対位置関係から本スキャン時の本スキャン画像の取り込み開始位置及び終了位置を設定している（特許文献１参照）。
【特許文献１】特開２００１−４２４６０号公報
【手続補正書】
【提出日】平成19年11月28日(2007.11.28)
【手続補正１】
【補正対象書類名】特許請求の範囲
【補正対象項目名】全文
【補正方法】変更
【補正の内容】
【特許請求の範囲】
【請求項１】
１種以上のベースのオリゴマー／ポリマー、１種以上の多官能性アクリレートモノマー、及び１種以上のチキソトロープ剤を含む封入組成物。
【請求項２】
該１種以上の多官能性アクリレートモノマーが、環状構造を有する少なくとも１種の多官能性アクリレートモノマーを含むものである、請求項１に記載の封入組成物。
【請求項３】
該１種以上の多官能性アクリレートモノマーの少なくとも１種が、ジアクリレートモノマーである、請求項１又は２に記載の封入組成物。
【請求項４】
該ジアクリレートモノマーが、トリシクロデカンジメタノールジアクリレート、ジシクロペンテニルアクリレート、ジシクロペンテニルメタクリレート、ヒドロキシピバルアルデヒド変性トリメチロールプロパンジアクリレート及びそれらの混合物を含む群から選ばれるものである、請求項３に記載の封入組成物。
【請求項５】
該ジアクリレートモノマーが、トリシクロデカンジメタノールジアクリレートである、請求項４に記載の封入組成物。
【請求項６】
該１種以上のベースのオリゴマー／ポリマーが、アクリレート化／メタクリレート化或いはビニレン含有のオリゴマー／ポリマーである、請求項１〜５のいずれか一項に記載の封入組成物。
【請求項７】
該チキソトロープ剤が処理シリカである、請求項１〜６のいずれか一項に記載の封入組成物。
【請求項８】
１種以上の光開始剤をさらに含む、請求項１〜７のいずれか一項に記載の封入組成物。
【請求項９】
１種以上の充填剤材料をさらに含む、請求項１〜８のいずれか一項に記載の封入組成物。
【請求項１０】
該１種以上の充填剤材料が、球状の中空ガラスビーズ、中実ガラスビーズ、タルク、球状シリカ及びそれらの混合物を含む群から選ばれるものである、請求項９に記載の封入組成物。
【請求項１１】
１種以上の顔料をさらに含む、請求項１〜１０のいずれか一項に記載の封入組成物。
【請求項１２】
接着促進剤類、カップリング剤類、熱硬化剤類、及びそれらの混合物を含む群から選ばれる１種以上の添加剤をさらに含む、請求項１〜１１のいずれか一項に記載の封入組成物。
【請求項１３】
該カップリング剤がシランを含むものである、請求項１２に記載の封入組成物。
【請求項１４】
該１種以上のベースのオリゴマー／ポリマーが、約１〜約７５重量％の範囲で該組成物を構成するものである、請求項１〜１３のいずれか一項に記載の封入組成物。
【請求項１５】
該１種以上のベースのオリゴマー／ポリマーが、約２０〜約５０重量％の範囲で該組成物を構成するものである、請求項１４に記載の封入組成物。
【請求項１６】
該１種以上の多官能性アクリレートモノマーが、約１〜約５０重量％の範囲で該組成物を構成するものである、請求項１〜１５のいずれか一項に記載の封入組成物。
【請求項１７】
該１種以上の多官能性アクリレートモノマーが、約１０〜約３０重量％の範囲で該組成物を構成するものである、請求項１６に記載の封入組成物。
【請求項１８】
該チキソトロープ剤が、約０．１〜約８重量％の範囲で該組成物を構成するものである、請求項１〜１７のいずれか一項に記載の封入組成物。
【請求項１９】
該チキソトロープ剤が、約２〜約５重量％の範囲で該組成物を構成するものである、請求項１８に記載の封入組成物。
【請求項２０】
該１種以上の光開始剤が、約０．１〜約８重量％の範囲で該組成物を構成するものである、請求項８に記載の封入組成物。
【請求項２１】
該１種以上の充填剤材料が、約１〜約８５重量％の範囲で該組成物を構成するものである、請求項９に記載の封入組成物。
【請求項２２】
該１種以上の充填剤材料が、約５０〜約７５重量％の範囲で該組成物を構成するものである、請求項２１に記載の封入組成物。
【請求項２３】
ダム及びフィル封入において使用するための請求項１〜２２のいずれか一項に記載の封入組成物。
【請求項２４】
グロブトップ封入において使用するための請求項１〜２２のいずれか一項に記載の封入組成物。
【請求項２５】
ダム及びフィル封入においてフィル材料として使用するための請求項１〜２３のいずれか一項に記載の封入組成物。
【請求項２６】
ダム及びフィル封入においてダム材料として使用するための請求項１〜２３のいずれか一項に記載の封入組成物。
【請求項２７】
請求項１〜２２のいずれか一項に記載の組成物を電子部品に適用する工程を含む、電子部品に封入を施す方法。
【手続補正書】
【提出日】平成19年11月15日(2007.11.15)
【手続補正１】
【補正対象書類名】明細書
【補正対象項目名】０００４
【補正方法】変更
【補正の内容】
【０００４】
既存の大多数の超伝導ＭＲＩ磁石はニオブ−チタン材料で製造されており、該材料は低温保持装置(cryostat)によって４．２Ｋの温度まで冷却される。典型的な超伝導磁石低温保持装置は、液体ヘリウム容器と、１つ又は２つの熱遮蔽体と、真空容器とを含んでいる。熱遮蔽体は周囲雰囲気からヘリウム容器への輻射を遮る。この輻射による熱負荷は、低温保持装置に対して冷却を行うクライオクーラ(cryocooler)のような冷凍機によって釣り合わさせる。
【特許文献１】米国特許第５４１２３６３号
【手続補正書】
【提出日】平成19年12月3日(2007.12.3)
【手続補正１】
【補正対象書類名】明細書
【補正対象項目名】特許請求の範囲
【補正方法】変更
【補正の内容】
【特許請求の範囲】
【請求項１】  溶融した結晶性ポリマーを紡糸して中空糸とする紡糸工程と、該中空糸を延伸して多孔質化する延伸工程とを有する中空糸膜の製造方法において、該紡糸工程と該延伸工程との間に伸長と弛緩を行う工程を有することを特徴とする中空糸膜の製造方法。
【請求項２】  前記伸長と弛緩を行う工程の少なくとも一部は加熱条件下で行うことを特徴とする請求項１記載の中空糸膜の製造方法。
【請求項３】  周速度の異なる複数の駆動ローラーを用いて、中空糸の伸長と弛緩を行うことを特徴とする請求項１又は２記載の中空糸膜の製造方法。
【請求項４】  前記複数の駆動ローラーの間に駆動力の無いフリーローラーを配したことを特徴とする請求項３記載の中空糸膜の製造方法。
【請求項５】  前記結晶性ポリマーの融点をＴｍ（℃）とした時、前記加熱条件が（Ｔｍ−５）℃〜（Ｔｍ−５０）℃の範囲であることを特徴とする請求項２〜４いずれかに記載の中空糸膜の製造方法。
【請求項６】  前記伸長と弛緩を行う工程において、伸長と弛緩を２回以上行うことを特徴とする請求項１〜５いずれかに記載の中空糸膜の製造方法。
【請求項７】  前記伸長と弛緩を行う工程において、伸長率が伸長時の温度での降伏点伸長率以下となるように伸長することを特徴とする、請求項１〜６いずれかに記載の中空糸膜の製造方法。
【請求項８】  前記伸長と弛緩を行う工程により、前記中空糸の５０％伸長弾性回復率を４０％以上とすることを特徴とする請求項１〜７いずれかに記載の中空糸膜の製造方法。
【手続補正書】
【提出日】平成20年7月8日(2008.7.8)
【手続補正１】
【補正対象書類名】明細書
【補正対象項目名】発明の名称
【補正方法】変更
【補正の内容】
【発明の名称】低汚染化剤を含む塗料用組成物および塗装物品
【手続補正２】
【補正対象書類名】明細書
【補正対象項目名】特許請求の範囲
【補正方法】変更
【補正の内容】
【特許請求の範囲】
【請求項１】
ヒドロキシメチル基が窒素原子または酸素原子に結合した構造を有する繰り返し単位（Ａ）を２個以上含有し、必要により該繰り返し単位（Ａ）以外の繰り返し単位（Ｂ）を含有し、該繰り返し単位（Ｂ）の少なくとも一種が、架橋性官能基を有する繰り返し単位（ｂ１）であり、かつ、該繰り返し単位（Ａ）の含有割合（質量基準）が３０％超である重合体からなる低汚染化剤、および、含フッ素樹脂を含む塗料用組成物。
【請求項２】
前記繰り返し単位（Ａ）が、Ｎ−ヒドロキシメチルアクリルアミド、Ｎ−ヒドロキシメチルメタクリルアミド、Ｎ，Ｎ−ビス（ヒドロキシメチル）アクリルアミドおよびＮ，Ｎ−ビス（ヒドロキシメチル）メタクリルアミドからなる群より選ばれる少なくとも１種の単量体から得られる繰り返し単位である請求項１に記載の塗料用組成物。
【請求項３】
単位（ｂ１）が、アルデヒド性カルボニル基を有する単量体、ケトン性カルボニル基を有する単量体、水酸基を有する単量体、カルボキシ基を有する単量体もしくはその塩、スルホ基を有する単量体もしくはその塩、リン酸残基を有する単量体もしくはその塩、エポキシ基を有する単量体、アミノ基を有する単量体もしくはその塩、オキサゾリン残基を有する単量体、アミド基を有する単量体、アルコキシ基を有する単量体、または加水分解性シリル基を有する単量体である請求項１または２に記載の塗料用組成物。
【請求項４】
前記低汚染化剤中の単位（ｂ１）の含有割合（質量基準）が、０．０１％以上かつ７０％未満である請求項１〜３のいずれかに記載の塗料用組成物。
【請求項５】
前記低汚染化剤が、単位（Ａ）以外かつ単位（ｂ１）以外の繰り返し単位（ｂ２）を含む請求項１〜４のいずれかに記載の塗料用組成物。
【請求項６】
前記単位（ｂ２）が、炭化水素系オレフィン類、ビニルエーテル類、イソプロペニルエーテル類、アリルエーテル類、ビニルエステル類、アリルエステル類、アルキル（メタ）アクリル酸エステル類、芳香族ビニル化合物、クロロオレフィン類、共役ジエン類、または多官能重合性二重結合を有する化合物である請求項１〜５のいずれかに記載の塗料用組成物。
【請求項７】
前記低汚染化剤中の単位（ｂ２）の含有割合（質量基準）が０〜５０％である請求項５または６に記載の塗料用組成物。
【請求項８】
前記低汚染化剤の配合量が、フッ素樹脂１００質量部に対して０．１〜１００質量部である請求項１〜７のいずれかに記載の塗料用組成物。
【請求項９】
前記塗料用組成物が、前記低汚染化剤を架橋せしめ得る架橋剤をさらに含む請求項１〜８のいずれかに記載の塗料用組成物。
【請求項１０】
請求項１〜９のいずれかに記載の塗料用組成物を用いて形成された塗膜を有することを特徴とする塗装物品。
【手続補正３】
【補正対象書類名】明細書
【補正対象項目名】０００１
【補正方法】変更
【補正の内容】
【０００１】
【発明の属する技術分野】
本発明は、低汚染化剤を含む塗料用組成物および塗装物品に関する。
【手続補正４】
【補正対象書類名】明細書
【補正対象項目名】０００８
【補正方法】変更
【補正の内容】
【０００８】
【課題を解決するための手段】
（１）本発明は、ヒドロキシメチル基が窒素原子または酸素原子に結合した構造を有する繰り返し単位（Ａ）を２個以上含有し、必要により該繰り返し単位（Ａ）以外の繰り返し単位（Ｂ）を含有し、該繰り返し単位（Ｂ）の少なくとも一種が、架橋性官能基を有する繰り返し単位（ｂ１）であり、かつ、該繰り返し単位（Ａ）の含有割合（質量基準）が３０％超である重合体からなる低汚染化剤、および、含フッ素樹脂を含む塗料用組成物を提供する。
（２）さらに、本発明は、前記塗料用組成物を用いて形成された塗膜を有することを特徴とする塗装物品を提供する。
【手続補正５】
【補正対象書類名】明細書
【補正対象項目名】０００９
【補正方法】変更
【補正の内容】
【０００９】
【発明の実施の形態】
本発明において、ヒドロキシメチル基が窒素原子または酸素原子に結合した構造を有する繰り返し単位（Ａ）（以下、単位（Ａ）と記すことがある。）は、該ヒドロキシメチル基を有する重合性単量体を重合させることにより重合体に導入できる。また、反応部位を有する重合体に該ヒドロキシメチル基を導入するなどの各種変成手法によっても、単位（Ａ）を重合体に導入できる。以下、単位（Ａ）を与える重合性単量体を典型例として挙げて説明する。
【手続補正６】
【補正対象書類名】明細書
【補正対象項目名】００１０
【補正方法】変更
【補正の内容】
【００１０】
単位（Ａ）を与える重合性単量体としては、例えば以下の重合性単量体が挙げられる。
ＣＨ２＝ＣＨＣＯＯＲ１、ＣＨ２＝Ｃ（ＣＨ３）ＣＯＯＲ１、ＣＨ２＝ＣＨＣＯＮＨＲ１、ＣＨ２＝Ｃ（ＣＨ３）ＣＯＮＨＲ１、ＣＨ２＝ＣＨＣＯＮ（Ｒ１）２、ＣＨ２＝Ｃ（ＣＨ３）ＣＯＮ（Ｒ１）２が挙げられる。
【手続補正７】
【補正対象書類名】明細書
【補正対象項目名】００１１
【補正方法】変更
【補正の内容】
【００１１】
ただし、Ｒ１はヒドロキシメチル基であり、ヒドロキシメチル基が窒素原子または酸素原子に結合した構造を有する。
【手続補正８】
【補正対象書類名】明細書
【補正対象項目名】００１４
【補正方法】変更
【補正の内容】
【００１４】
本発明においては、必要により前記単位（Ａ）以外の繰り返し単位（Ｂ）（以下、単位（Ｂ）と記すことがある。）が含有されてもよい。単位（Ｂ）の少なくとも一種は、窒素原子または酸素原子に結合したヒドロキシメチル基以外の架橋性官能基を有する繰り返し単位（ｂ１）（以下、単位（ｂ１）と記すことがある。）である。さらに、単位（Ｂ）としては、単位（Ａ）以外かつ単位（ｂ１）以外の繰り返し単位（ｂ２）（以下、単位（ｂ２）と記すことがある。）が挙げられる。単位（Ｂ）として、単位（ｂ１）と単位（ｂ２）とを併用してもよい。
【手続補正書】
【提出日】平成20年7月28日(2008.7.28)
【手続補正１】
【補正対象書類名】明細書
【補正対象項目名】特許請求の範囲
【補正方法】変更
【補正の内容】
【特許請求の範囲】
【請求項１】芳香族ポリカーボネート樹脂（Ａ）５０〜９５重量部、芳香族ビニル単量体単位（ｂ−１）、およびシアン化ビニル単量体単位（ｂ−２）を含む共重合体（Ｂ）４９〜０重量部、芳香族ビニル化合物（ｃ−１）とシアン化ビニル化合物（ｃ−２）とをゴム状重合体（ｃ−３）の存在下で共重合して得られるシアナイド含有グラフト共重合体（Ｃ）４９〜１重量部、芳香族ビニル化合物（ｄ−１）とアルキル（メタ）アクリレート（ｄ−２）とをゴム状ブタジエン重合体（ｄ−３）の存在下で共重合して得られる（メタ）アクリレート含有グラフト共重合体（Ｄ）４９〜０．１重量部、及び、以下成分（Ａ）、成分（Ｂ）、成分（Ｃ）、及び成分（Ｄ）の合計１００重量部に対して、少なくとも１種の有機リン化合物オリゴマー（Ｅ）５〜３０重量部、及びタルク（Ｆ）０．１〜２０重量部を含んでなるポリカーボネート系難燃樹脂組成物。
【請求項２】タルク（Ｆ）が平均粒子径１〜５０μｍであり、且つタルク粒子全体の１〜８０％が粒子径７μｍ以上の粒子であることを特徴とする請求項１記載のポリカーボネート系難燃樹脂組成物。
【請求項３】少なくとも１種の有機リン化合物オリゴマー（Ｅ）が各々下記式（１）：
【化１】
2003041114.tif 000001
で表される化合物群より選ばれることを特徴とする請求項１又は２記載のポリカーボネート系難燃樹脂組成物。
【請求項４】少なくとも１種の有機リン化合物オリゴマー（Ｅ）が各々下記式（２）：
【化２】
2003041114.tif 000002
で表される化合物群より選ばれることを特徴とする請求項１又は２記載のポリカーボネート系難燃樹脂組成物。
【請求項５】請求項１，２，３，及び４のいずれか一項に記載されたポリカーボネート系樹脂組成物で成形された成形体であって、肉厚１．２ｍｍ以下の部分を少なくとも１つ有する薄肉成形体。
【手続補正２】
【補正対象書類名】明細書
【補正対象項目名】００１３
【補正方法】変更
【補正の内容】
【００１３】
［３］  少なくとも１種の有機リン化合物オリゴマー（Ｅ）が各々下記式（１）：
【化３】
2003041114.tif 000003
で表される化合物群より選ばれることを特徴とする上記［１］又は［２］記載のポリカーボネート系難燃樹脂組成物、
【手続補正３】
【補正対象書類名】明細書
【補正対象項目名】００１４
【補正方法】変更
【補正の内容】
【００１４】
［４］  少なくとも１種の有機リン化合物オリゴマー（Ｅ）が各々下記式（２）：
【化４】
2003041114.tif 000004
で表される化合物群より選ばれることを特徴とする上記［１］又は［２］記載のポリカーボネート系難燃樹脂組成物、
【手続補正４】
【補正対象書類名】明細書
【補正対象項目名】００１５
【補正方法】変更
【補正の内容】
【００１５】
［５］  上記［１］、［２］、［３］、及び［４］のいずれか1つに記載されたポリカーボネート系樹脂組成物で成形された成形体であって、肉厚１．２ｍｍ以下の部分を少なくとも１つ有する薄肉成形体、である。
【手続補正書】
【提出日】平成20年9月17日(2008.9.17)
【手続補正１】
【補正対象書類名】明細書
【補正対象項目名】００１２
【補正方法】変更
【補正の内容】
【００１２】
脂肪族ジカルボン酸金属塩としては、炭素数が2〜20の飽和または不飽和のジカルボン酸の金属塩が用いられる。金属塩としては、リチウム、ナトリウム、カリウム、カルシウム、バリウム、マグネシウム、銅、鉄、コバルト、亜鉛、アルミニウム等が単独であるいは2種以上混合して用いられる。
【手続補正書】
【提出日】平成20年1月10日(2008.1.10)
【手続補正１】
【補正対象書類名】明細書
【補正対象項目名】特許請求の範囲
【補正方法】変更
【補正の内容】
【特許請求の範囲】
【請求項１】 モノアシルグリセロールからなるペルオキシソーム増殖剤活性化受容体活性化剤。
【請求項２】 モノアシルグリセロールの構成脂肪酸の１０重量％以上がオレイン酸またはリノール酸である請求項１記載のペルオキシソーム増殖剤活性化受容体活性化剤。
【請求項３】 モノアシルグリセロールの構成脂肪酸の１０重量％以上がｎ−３系脂肪酸である請求項１記載のペルオキシソーム増殖剤活性化受容体活性化剤。
【請求項４】 モノアシルグリセロールからなる肥満予防改善剤。
【請求項５】 モノアシルグリセロールの構成脂肪酸の１０重量％以上がオレイン酸またはリノール酸である請求項４記載の肥満予防改善剤。
【請求項６】 モノアシルグリセロールの構成脂肪酸の１０重量％以上がｎ−３系脂肪酸である請求項４記載の肥満予防改善剤。
【手続補正書】
【提出日】平成20年4月17日(2008.4.17)
【手続補正１】
【補正対象書類名】明細書
【補正対象項目名】０００７
【補正方法】変更
【補正の内容】
【０００７】
米国特許第５４３９６８６号、米国特許第５４９８４２１号および米国特許第５５６０９３３号はパクリタキセルを組み込んだアルブミン微粒子に関して記載しており；これらの粒子は国際的に記号ＡＢＩ００７として同定されており、以後これらの微粒子に関して言及する場合はいつも簡単にするためにこの名称を使用する。
【手続補正書】
【提出日】平成20年4月1日(2008.4.1)
【手続補正１】
【補正対象書類名】明細書
【補正対象項目名】特許請求の範囲
【補正方法】変更
【補正の内容】
【特許請求の範囲】
【請求項１】
少なくとも２つ又はより多くの流体を含んでなるインクジェット印刷用インクセットであって、
a)  前記流体の少なくとも１つ（流体Ａ）が、着色剤と水を含有し；且つ
b)  前記流体の少なくとも１つ（流体Ｂ）がポリビニルアルコールを含有する、インクセット。
【請求項２】
少なくとも５つの流体を含み、前記５つの流体の１つが透明な流体であり、好ましくは、前記透明な流体が前記ポリビニルアルコールとポリエチレンイミンとを含む、請求項１に記載のインクセット。
【請求項３】
前記５つの流体の４つが、マゼンタ、イエロー、シアン、及びブラックから成る群から選択される着色剤を含み、且つ前記着色剤を含有する流体の少なくとも１つがホウ酸塩化合物も含む、請求項２に記載のインクセット。
【請求項４】
第６の流体をさらに含む、請求項２に記載のインクセット。
【請求項５】
前記第６の流体が、ポリビニルアルコール及び好ましくはポリエチレンイミンを含有する、請求項４に記載のインクセット。
【請求項６】
前記第６の流体が、ホウ酸塩化合物を含む、請求項４に記載のインクセット。
【請求項７】
a)  ポリビニルアルコールを含む第１の流体（流体Ａ）を基体上に印刷するステップと；
b)  着色剤を含む第２の流体（流体Ｂ）を、流体Ａと接触するように印刷するステップと；好ましくは、
c)  前記基体を熱に供するステップ、
を含む、インクジェット印刷方法。
【請求項８】
前記熱が、フューザーによって適用される、請求項７に記載の方法。
【請求項９】
流体Ｂが、ホウ酸塩含有化合物を含む、請求項７に記載の方法。
【請求項１０】
前記流体Ａが、流体Ｂの上に印刷される、請求項７に記載の方法。
【請求項１１】
前記流体Ａが、流体Ｂの下に印刷される、請求項７に記載の方法。
【請求項１２】
前記流体Ａが、流体Ｂの上と下の両方に印刷される、請求項７に記載の方法。
【請求項１３】
第３の流体（流体Ｃ）を印刷する追加のステップを包含する、請求項７に記載の方法。
【請求項１４】
流体Ｃが透明である、請求項１２に記載の方法。
【請求項１５】
流体Ｃが、ホウ酸塩含有化合物を含む、請求項１４に記載の方法。
【請求項１６】
流体Ｃが、ポリエチレンイミンを含む、請求項１４に記載の方法。
【請求項１７】
前記流体Ｃが、流体Ａ及び流体Ｂの上に印刷される、請求項１４に記載の方法。
【請求項１８】
前記流体Ｃが、流体Ａ及び流体Ｂの下に印刷される、請求項１４に記載の方法。
【手続補正書】
【提出日】平成20年3月26日(2008.3.26)
【手続補正１】
【補正対象書類名】明細書
【補正対象項目名】特許請求の範囲
【補正方法】変更
【補正の内容】
【特許請求の範囲】
【請求項１】 ポリオレフィン組成物であって、紫外線吸収剤として
ａ）前記ポリオレフィンは「フィリップス」タイプの高密度ポリエチレンまたはメタロセンタイプのポリエチレンであるという条件で、少なくとも１種のヒドロキシベンゾフェノンおよび少なくとも１種の２−ヒドロキシフェニルベンゾトリアゾール；
ｂ）ポリオレフィンがポリプロピレンの場合、ポリビニルピリジンは存在しないという条件で、少なくとも１種のヒドロキシベンゾフェノンおよび少なくとも１種の２−ヒドロキシフェニルトリアジン；
ｃ）少なくとも１種のヒドロキシベンゾフェノンおよび少なくとも１種のオキサニリド；ｄ）少なくとも１種の２−ヒドロキシフェニルベンゾトリアゾールおよび少なくとも１種のオキサニリド；
ｅ）少なくとも１種の２−ヒドロキシフェニルトリアジンおよび少なくとも１種のオキサニリド；
ｆ）少なくとも１種のヒドロキシベンゾフェノン、少なくとも１種の２−ヒドロキシフェニルベンゾトリアゾールおよび少なくとも１種のオキサニリド；
ｇ）少なくとも１種のヒドロキシベンゾフェノン、少なくとも１種のオキサニリドおよび少なくとも１種の２−ヒドロキシフェニルトリアジン；またはｈ）少なくとも１種の２−ヒドロキシフェニルベンゾトリアゾール、少なくとも１種のオキサニリドおよび少なくとも１種の２−ヒドロキシフェニルトリアジンよりなる混合物を含む組成物。
【請求項２】 混合物中の個々の紫外線吸収剤の量が混合物の量に基づいて２０ないし８
０％であり、但しそれらの合計が１００％となる請求項１記載のポリオレフィン組成物。
【請求項３】 紫外線吸収剤の総量がポリマーの重量に基づいて０．００５ないし５％で
ある請求項１記載のポリオレフィン組成物。
【請求項４】 少なくとも１種の立体障害性アミン、特に式
【化１】
2001354812.tif 000001
（式中、Ｒは水素原子またはメチル基を表す。）で表される基の少なくとも１つを含むこのタイプのアミンをさらに含む請求項１記載のポリオレフィン組成物。
【手続補正書】
【提出日】平成20年3月18日(2008.3.18)
【手続補正１】
【補正対象書類名】明細書
【補正対象項目名】特許請求の範囲
【補正方法】変更
【補正の内容】
【特許請求の範囲】
【請求項１】  カートン素材を受け入れ、各々所定の横断面形状および寸法を有する頂部の開口したカートンとして前記カートン素材を直立させ、頂部の開口したカートンに充填してシールする成形、充填およびシールを行う包装機械であって、
フレームと、
前記フレームに担持され、カートン直立ステーション、底部フラップ・シール・ステーション、充填ステーションおよび頂部フラップ・シール・ステーションを含む複数のステーションと、
駆動組立体と、
前記複数のステーションを通してカートンを移動させるために前記駆動組立体に作動連結された搬送組立体と、
前記搬送組立体に担持され、前記カートンの横断面寸法および形状にほぼ一致した少なくとも１つのキャビティがそれぞれ形成されている複数のキャビティ付きバーであって、各々のキャビティは連続した周面を有する内周壁によって形成され、キャビティはカートンがステーション間を搬送されるときにカートンを受け入れて支持する形状である前記複数のキャビティ付きバーとを含んで成る成形、充填およびシールを行う包装機械。
【請求項２】  前記キャビティ内に配置されたカートンと係合するように内周壁に複数の真空開口が形成されて、前記真空開口を通して真空圧を付与することで内周壁に対してカートンを固定し、またキャビティ内にカートンを固定するために少なくとも１つのステーションで真空圧がカートンに対して付与される請求項１に記載された成形、充填およびシールを行う包装機械。
【請求項３】  キャビティ付きバーは通路を有するように形成され、またキャビティ付きバーは通路内に嵌合されたカラー部分を含む請求項２に記載された成形、充填およびシールを行う包装機械。
【請求項４】  カラー部分が真空源Ｖからカートンへ真空圧を導く真空通路を形成している請求項３に記載された成形、充填およびシールを行う包装機械。
【請求項５】  底部フラップの事前折り曲げステーションを含み、また前記底部フラップの事前折り曲げステーション付近で真空圧をキャビティへ導く形状の真空圧供給部材を含む請求項２に記載された成形、充填およびシールを行う包装機械。
【請求項６】  頂部フラップの事前折り曲げステーションを含み、また前記頂部フラップの事前折り曲げステーション付近で真空圧をキャビティへ導く形状の真空圧供給部材を含む請求項２に記載された成形、充填およびシールを行う包装機械。
【請求項７】  各々のキャビティは複数の隅部を形成され、また各隅部はそれに沿って延在する開放面積部分を有する請求項１に記載された成形、充填およびシールを行う包装機械。
【手続補正書】
【提出日】平成20年7月18日(2008.7.18)
【手続補正１】
【補正対象書類名】明細書
【補正対象項目名】特許請求の範囲
【補正方法】変更
【補正の内容】
【特許請求の範囲】
【請求項１】
放射線源及び検出器を含む走査型イメージング・システム（１０）の放射線源（１４）を動作させるコンピュータ（３６）であって、前記検出器が実質的に均一な分布のノイズを受けるように前記放射線源及び前記検出器を動作させるようにプログラミングされ、更に、前記放射線源の縁部（９６）付近の放射線源電流が前記放射線源の中心部（９８）付近の放射線源電流よりも大きくなるように放射線源電流を変調するようにプログラミングされているコンピュータ（３６）。
【請求項２】
前記放射線源（１４）を動作させるために、前記コンピュータが更に、線状放射線源及び二次元放射線源のうちの少なくとも１つを動作させるように構成されている、請求項１記載のコンピュータ（３６）。
【請求項３】
更に、反転円錐型ジオメトリイのビーム（１６）及び非反転円錐型ジオメトリイのビームのうちの少なくとも一方を前記検出器が受けるように前記放射線源（１４）を動作させるようにプログラミングされている請求項１記載のコンピュータ（３６）。
【請求項４】
更に、前記放射線源（１４）から放出される電子ビームの滞留時間を変調して、撮影範囲の縁部（７２）付近のＸ線スポットにおける滞留時間が撮影範囲の中心部（７４）付近のＸ線スポットにおける滞留時間よりも長くなるようにプログラミングされている請求項１記載のコンピュータ（３６）。
【請求項５】
更に、複数のＸ線スポットの相互間のサンプリング距離を修正して、前記放射線源の縁部（９６）付近のスポットが前記放射線源の中心部（９８）付近のスポットよりも一層密な間隔で配置されようにプログラミングされている請求項１記載のコンピュータ（３６）。
【手続補正書】
【提出日】平成20年3月18日(2008.3.18)
【手続補正１】
【補正対象書類名】特許請求の範囲
【補正対象項目名】請求項６
【補正方法】変更
【補正の内容】
【請求項６】
前記支持係合部材は、前記支持部材の外周側と螺合する筒状の支持係合部材本体と、前記支持係合部材本体の一端に形成され前記第３弾性部材からのトルクを受ける環状の係合部と、前記支持係合部材本体の他端を閉じる頭部とを有している、
請求項５に記載のクラッチカバー組立体。
【手続補正２】
【補正対象書類名】特許請求の範囲
【補正対象項目名】請求項８
【補正方法】変更
【補正の内容】
【請求項８】
前記摩耗補償機構は、前記支持係合部材と前記第３弾性部材との軸方向間に前記第３弾性部材の一端が係合するガイドプレートをさらに有している、
請求項５から７のいずれかに記載のクラッチカバー組立体。
【手続補正３】
【補正対象書類名】明細書
【補正対象項目名】００２４
【補正方法】変更
【補正の内容】
【００２４】
請求項６に記載のクラッチカバー組立体は、請求項５において、支持係合部材が支持部材の外周側と螺合する筒状の支持係合部材本体と、支持係合部材本体の一端に形成され第３弾性部材からのトルクを受ける環状の係合部と、支持係合部材本体の他端を閉じる頭部とを有している。
【手続補正４】
【補正対象書類名】明細書
【補正対象項目名】００２８
【補正方法】変更
【補正の内容】
【００２８】
請求項８に記載のクラッチカバー組立体は、請求項５から７のいずれかにおいて、摩耗補償機構が支持係合部材と第３弾性部材との軸方向間に第３弾性部材の一端が係合するガイドプレートをさらに有している。
【手続補正書】
【提出日】平成20年3月18日(2008.3.18)
【手続補正１】
【補正対象書類名】特許請求の範囲
【補正対象項目名】請求項５
【補正方法】変更
【補正の内容】
【請求項５】
複数の前記第１弾性部材は、円周方向に並んで配置されており、前記ダイヤフラムスプリングの変位量の変化に対して荷重発生開始が異なるように設定されている、
請求項４に記載のクラッチカバー組立体。
【手続補正２】
【補正対象書類名】特許請求の範囲
【補正対象項目名】請求項６
【補正方法】変更
【補正の内容】
【請求項６】
前記プレッシャープレートに固定され、前記第１および第２弾性部材からの荷重を受けるための支持部材をさらに備えた、
請求項５に記載のクラッチカバー組立体。
【手続補正３】
【補正対象書類名】明細書
【補正対象項目名】００２１
【補正方法】変更
【補正の内容】
【００２１】
請求項５に記載のクラッチカバー組立体は、請求項４において、複数の第１弾性部材が円周方向に並んで配置されており、ダイヤフラムスプリングの変位量の変化に対して荷重発生開始が異なるように設定されている。
【手続補正４】
【補正対象書類名】明細書
【補正対象項目名】００２３
【補正方法】変更
【補正の内容】
【００２３】
請求項６に記載のクラッチカバー組立体は、請求項５において、プレッシャープレートに固定され、第１および第２弾性部材からの荷重を受けるための支持部材をさらに備えている。
【手続補正書】
【提出日】平成20年10月16日(2008.10.16)
【手続補正１】
【補正対象書類名】明細書
【補正対象項目名】００２５
【補正方法】変更
【補正の内容】
【００２５】
なお、平歯車１００の回転方向が逆転すると、歯面１０４が回転方向前側の歯面になり、歯面１０３が回転方向後側の歯面になるから、噴口１４が平歯車１００の回転方向後側の歯面１０３に向けてオイルミストを噴出する噴口になり、噴口１５が平歯車１００の回転方向前側の歯面１０４に向けてオイルミストを噴出する噴口になる。
【手続補正２】
【補正対象書類名】図面
【補正対象項目名】図３
【補正方法】変更
【補正の内容】
【図３】
2007162884.tif 000001
【手続補正３】
【補正対象書類名】図面
【補正対象項目名】図４
【補正方法】変更
【補正の内容】
【図４】
2007162884.tif 000002
【手続補正４】
【補正対象書類名】図面
【補正対象項目名】図５
【補正方法】変更
【補正の内容】
【図５】
2007162884.tif 000003
【手続補正５】
【補正対象書類名】図面
【補正対象項目名】図７
【補正方法】変更
【補正の内容】
【図７】
2007162884.tif 000004
【手続補正書】
【提出日】平成20年9月25日(2008.9.25)
【手続補正１】
【補正対象書類名】明細書
【補正対象項目名】００２０
【補正方法】変更
【補正の内容】
【００２０】
棟換気装置を複数基連接するとともに、それらの上に棟木支持金具を、複数本、立設する態様において、棟木の機械的性能に合わせて、連接された複数基の棟換気装置における防水シート状連結体の上の任意な位置に、棟木支持金具をその基端部をねじ止め又は釘止めするだけで、容易かつ迅速に固定でき、かつ的確に防水出来る。被覆部及び防水シート状連結体にねじ込まれた又は釘止めされたねじ又は釘は、被覆部及び防水シート状連結体に、その弾性スクイズ力の作用により、確実に把持される。
【手続補正２】
【補正対象書類名】明細書
【補正対象項目名】００２７
【補正方法】変更
【補正の内容】
【００２７】
次に上記構造の空気導通構造体３０と被覆体６０とから本発明に係る棟換気装置２０を製作する過程を説明すると、まず釘うち又は予め螺入用の透孔を設けることなくねじ止め可能な樹脂、例えばポリプロピレン等を使用して、本発明に係る空気導通構造体３０を成形し、実質的に同一形状、大きさ及び構造の空気導通構造体３０を準備する。
【手続補正３】
【補正対象書類名】明細書
【補正対象項目名】００３２
【補正方法】変更
【補正の内容】
【００３２】
このように連接された第一〜第四棟換気装置２１〜２４における空気導通構造体３０の被覆部６０と防水シート状連結体７０の接合部分は、緩やかに湾曲した積層体を構成するので、図９に示すように、棟換気装置３０を設置しない棟の施工に広く使用される汎用の棟木支持金具９０、すなわち、棟木１００を直接搭載する対掌的構造の支承部９２と、その支承部９２を野地板上で支持する一対の板状支持部９４とからなる棟木支持金具において、前記板状支持部９４を一対の空気導通構造体３０の前記被覆部６０の屈曲表面形状に合わせて曲げ加工すれば、屋根の棟の施工に汎用されている棟木支持金具の使用が可能になる。
【手続補正書】
【提出日】平成20年6月23日(2008.6.23)
【手続補正１】
【補正対象書類名】明細書
【補正対象項目名】特許請求の範囲
【補正方法】変更
【補正の内容】
【特許請求の範囲】
【請求項１】  
文字や絵等の図柄を投影可能な光源の前方に、所定の間隔を保って少なくとも２以上のハーフミラーを向き合わせて配置し、前記図柄の透過光と反射光とにより多重像を表示するようにした多重像表示装置において、前記ハーフミラーのうち、少なくとも一つが凹面または凸面を有する変形ハーフミラーであることを特徴とする遊技機の多重像表示装置。
【請求項２】  
前記光源が図柄表示板に光を透過させて前記図柄を投影するものであって、
前記図柄表示板には、光源からの照射光を拡散して前記図柄の形状の光を浮かび上がらせる光拡散部を設けたことを特徴とする請求項１記載の遊技機の多重像表示装置。
【請求項３】  
前記変形ハーフミラーを可撓性材料で形成するとともに、この変形ハーフミラーを撓み変形可能に支持し、かつ支持間隔を自在に調節可能な支持間隔調節手段を設けたことを特徴とする請求項１又は請求項２に記載の遊技機の多重像表示装置。
【請求項４】  
前記ハーフミラーのうち少なくとも一のハーフミラーに、鏡面の傾斜角を振り子状に変化させる角度調節手段を設けたことを特徴とする請求項１乃至請求項３のいずれかに記載の遊技機の多重像表示装置。
【手続補正書】
【提出日】平成20年3月18日(2008.3.18)
【手続補正１】
【補正対象書類名】明細書
【補正対象項目名】０００３
【補正方法】変更
【補正の内容】
【０００３】
これ迄は、バケットのテノンを補修するために、各個々のバケットを作業台上に置いた状態で、バケットをタービンから取外していた。次ぎに、腐食したテノンを研削して取去って、先端上の小さなこぶにするか又はバケット先端と同一平面にしていた。テノン先端は、予熱されかつ清浄にされた。次ぎに、予熱の度合に厳しい注意を払いながら、手作業で先端に対して多重パスの形態で溶接材料を施工していた。次ぎに、溶接肉盛部を応力除去し、機械加工して新しいすなわち補修したテノンを形成していた。この従来の工程は、手作業で行われ、面倒で費用がかかり、生産速度が非常に遅いものになっていた。
【特許文献１】米国特許第4542272号明細書
【特許文献２】米国特許第5092942号明細書
【特許文献３】米国特許第5319179号明細書
【特許文献４】米国特許第6376801号明細書
【特許文献５】米国特許出願公開第2003/0066192号明細書
【手続補正書】
【提出日】平成20年3月17日(2008.3.17)
【手続補正１】
【補正対象書類名】特許請求の範囲
【補正対象項目名】全文
【補正方法】変更
【補正の内容】
【特許請求の範囲】
【請求項１】
キーリング部分（１４）及びスタッド（１０）を含むキーリング・スタッド組立体（８）をガスタービンエンジン構成部品のねじ穴から取外す方法であって、
前記キーリング・スタッド組立体（８）のキーリング部分（１４）上に仮付け溶接部（１８）を形成する段階と、
前記仮付け溶接部（１８）にエキストラクタ（１７）を溶接する段階と、
前記仮付け溶接部（１８）に溶接したエキストラクタ（１７）にプーラ（２５）を取付ける段階と、
前記スタッド（１０）をねじ穴内に残したままで、前記プーラ（２５）を引っ張ることによって前記キーリング部分（１４）を取外す段階と、
前記スタッド（１０）に２つのナット（２８）を組付ける段階と、
工具（３０）を使用して、前記ガスタービンエンジン構成部品のねじ穴を損傷させずに前記スタッド（１０）を取外す段階と、
を含む方法。
【請求項２】
前記ガスタービンエンジン構成部品が、タービン後部フレームである、請求項１記載の方法。
【請求項３】
前記仮付け溶接部（１８）を形成するのに用いる溶加材が、前記構成部品と同一の材料である、請求項１記載の方法。
【請求項４】
前記エキストラクタ（１７）が、ボルト（２２）と前記ボルト内部に嵌合した細長いねじ付き部分と２つの脚部とを含み、前記脚部の端部が前記仮付け溶接部（１８）に溶接される、請求項１記載の方法。
【請求項５】
前記プーラ（２５）がロッド部分（２６）を含み、前記エキストラクタの細長いねじ付き部分が、前記プーラのロッド部分内部に嵌合する、請求項１記載の方法。
【請求項６】
前記仮付け溶接部（１８）が、前記キーリング部分（１４）のキー（１６）上の２点仮付け溶接部である、請求項１記載の方法。
【請求項７】
前記スタッド（１０）をねじって外すために、該スタッド（１０）に固定したナット（２８）にレンチ（３０）を取付ける段階を含む、請求項１記載の方法。
【手続補正２】
【補正対象書類名】明細書
【補正対象項目名】０００５
【補正方法】変更
【補正の内容】
【０００５】
上述の方法は有効であるが、構成部品の母材にまで穿孔しないように注意を払わなければならない。同様に、多数の穿孔加工作業を使用するので、構成部品のねじ穴を損傷させる危険性がある。本方法はまた、多数の補修作業及び装置の据付け工程を伴い、従って取外し工程を完了するのに、多くの場合多大の労働時間を必要とする。
【特許文献１】米国特許第２７０９８９３号明細書
【手続補正書】
【提出日】平成19年11月28日(2007.11.28)
【手続補正１】
【補正対象書類名】明細書
【補正対象項目名】００４７
【補正方法】変更
【補正の内容】
【００４７】
また、上記実施例６では上述の如く、排気導入管(１)と第１導出管(３)とを一体形成した管体に、第２導出管(１３)を接続固定しているため、管体(２２)内の吸引管(１１)と第２導出管(１３)の間の混合部(７)の形成長さが一定に固定されているが、本発明の実施例７では、第２導出管(１３)を接続固定した第３導出管(２４)を、管体(２２)に別個に接続することにより、混合部(７)の形成長さを調整可能なものとしている。本実施例７を図８において説明すると、第３導出管(２４)の内径を管体(２２)の第１導出管(３)側の先端部(２５)の外径よりも大径としており、この第３導出管(２４)の一端に管体(２２)の先端部(２５)を挿入することにより、管体(２２)に第３導出管(２４)を接続している。
【手続補正書】
【提出日】平成20年6月19日(2008.6.19)
【手続補正１】
【補正対象書類名】明細書
【補正対象項目名】請求項１
【補正方法】変更
【補正の内容】
【請求項１】  遊技媒体を用いて所定の遊技を行うことが可能であり、遊技により払出条件が成立したことにもとづいて景品としての景品遊技媒体を払い出す遊技機であって、
遊技の進行を制御する遊技制御手段が搭載された遊技制御基板と、
前記景品遊技媒体および貸出要求にもとづいて遊技者に貸し出す貸出遊技媒体の払い出しを行う払出手段と、
前記払出手段を制御する払出制御手段が搭載された払出制御基板と、
前記払出手段による前記景品遊技媒体と前記貸出遊技媒体との払い出しを検出する払出検出手段とを備え、
前記遊技制御手段は、前記払出条件の成立にもとづいて前記払出制御手段に対して景品遊技媒体の払出数を特定可能な払出指令信号を出力し、
前記払出制御手段は、前記払出指令信号にもとづいて前記払出手段を制御して景品遊技媒体の払出処理を実行するとともに、前記遊技制御手段に対して景品遊技媒体の払出処理中であることを示す景品遊技媒体払出処理中信号を出力し、
前記払出制御基板は、前記景品遊技媒体払出処理中信号の出力中に前記払出検出手段からの検出信号の入力があったことを条件として、景品遊技媒体の払い出し数を特定可能とするための景品遊技媒体払出信号を作成する信号作成部と、前記景品遊技媒体払出信号を遊技機の外部に出力ための信号出力経路とを備える
ことを特徴とする遊技機。
【手続補正２】
【補正対象書類名】明細書
【補正対象項目名】０００８
【補正方法】変更
【補正の内容】
【０００８】
【課題を解決するための手段】
本発明による遊技機は、例えば図１に示すように、遊技媒体を用いて所定の遊技を行うことが可能であり、遊技により払出条件（例えば、遊技領域に設けられた入賞領域への入賞があったときに成立する条件、スロットマシンにおいて予め定められた所定の表示態様での表示が表示装置になされたときに成立する条件）が成立したことにもとづいて景品としての景品遊技媒体を払い出す遊技機であって、遊技の進行を制御する遊技制御手段（例えばＣＰＵ５６を含む遊技制御手段５６ａ）が搭載された遊技制御基板（例えば主基板３１により構成される遊技制御基板３１ａ）と、景品遊技媒体および貸出要求にもとづいて遊技者に貸し出す貸出遊技媒体の払い出しを行う払出手段（例えば払出装置９７などの払出手段９７ａ）と、払出手段を制御する払出制御手段（例えば払出制御用ＣＰＵ３７１を含む払出制御手段３７１ａ）が搭載された払出制御基板（例えば、払出制御基板３７）と、払出手段による景品遊技媒体と貸出遊技媒体との払い出しを検出（例えば、遊技球の通過を感知するセンサやスイッチによる検出であっても、払出装置の動作量を監視するセンサやスイッチによる検出であってもよい。なお、検出景品遊技媒体であるか貸出遊技媒体であるかを区別することなく払い出しを共通に検出することを意味している。）する払出検出手段（例えば払出カウントスイッチ３０１などの払出検出手段３０１ａ）とを備え、遊技制御手段は、払出条件の成立（例えば入賞口や入賞領域への遊技球の入賞）にもとづいて払出制御手段に対して景品遊技媒体の払出数を特定可能な払出指令信号（例えばＲＥＱ信号および払出個数信号）を出力し、払出制御手段は、払出指令信号にもとづいて（例えばステップＳ５３４の判定結果にもとづいて）払出手段を制御して景品遊技媒体の払出処理（例えば、ステップＳ５３５以降の処理）を実行するとともに、遊技制御手段に対して景品遊技媒体の払出処理中であることを示す景品遊技媒体払出処理中信号（例えばオン状態のＢＵＳＹ信号）を出力し（例えばステップＳ５３８）、払出制御基板は、景品遊技媒体払出処理中信号の出力中に払出検出手段からの検出信号の入力があったことを条件として、景品遊技媒体の払い出し数を特定可能とするための景品遊技媒体払出信号（例えば賞球カウント信号）を作成する信号作成部（例えばＡＮＤ回路３７６を含む信号作成部３７６ａ）と、景品遊技媒体払出信号を遊技機の外部に出力するための信号出力経路（例えばＡＮＤ回路３７６の出力を外部に出力するための配線パターン）とを備えることを特徴とする。
【手続補正３】
【補正対象書類名】明細書
【補正対象項目名】０２４４
【補正方法】変更
【補正の内容】
【０２４４】
【発明の効果】
以上のように、請求項１記載の発明によれば、遊技制御手段は、払出条件の成立にもとづいて払出制御手段に対して景品遊技媒体の払出数を特定可能な払出指令信号を出力し、払出制御手段は、払出指令信号にもとづいて払出手段を制御して景品遊技媒体の払出処理を実行するとともに、遊技制御手段に対して景品遊技媒体の払出処理中であることを示す景品遊技媒体払出処理中信号を出力し、払出制御基板は、景品遊技媒体払出処理中信号の出力中に払出検出手段からの検出信号の入力があったことを条件として、景品遊技媒体の払い出し数を特定可能とするための景品遊技媒体払出信号を作成する信号作成部と、景品遊技媒体払出信号を遊技機の外部に出力するための信号出力経路とを備えるように構成されているので、景品遊技媒体と貸出遊技媒体の払出検出を行う払出検出手段を用いた簡単な構成で、景品遊技媒体払出信号を作成することができるという効果を有する。